(57)【要約】【課題】録画予約の確認を録画開始前に確認できるようにする。【解決手段】録画予約時間の直前に、録画予約した番組情報を表示し、録画予約の最終確認を行う。そのため、録画予約の監視時間帯となったとき、録画予約に関連した確認用番組情報を取得する。この番組情報の取得はデジタル映像機器向けのポータルサイトから取得する。さらに、予約確認用のメッセージ情報を表示し、最終的な予約確認がなされたときだけ録画予約を実行する。これによって、録画予約ミスを回避できる。誤ったチャンネル設定のようなときは、録画予約を再設定する場合でも、放送開始前に実行できる。【選択図】        図３
2009005305.tif 000002
【特許請求の範囲】
【請求項１】
テレビ番組を録画する録画手段と、
上記テレビ番組に対する録画予約手段と、
録画予約された番組情報の中に含まれる予約時間を監視し、監視時間帯に入ったとき予約された内容を確認するための確認用として使用する番組情報を取得する予約番組情報取得手段と、
上記予約番組情報取得手段で取得した上記確認用番組情報の表示サイズを変換する表示サイズ変換手段と、
上記表示サイズ変換手段で生成された上記確認用番組情報に、録画確認メッセージ情報を重畳して画面表示するメッセージ情報生成手段とからなり、
上記メッセージ情報の選択に応じた確認情報に基づいて上記録画予約手段が制御される
ことを特徴とする映像機器。
【請求項２】
上記テレビジョン信号は地上デジタル放送信号である
ことを特徴とする請求項１記載の映像機器。
【請求項３】
上記録画予約すべき情報は、電子番組情報である
ことを特徴とする請求項１記載の映像機器。
【請求項４】
上記監視時間帯は、予約時間の５分前から放送開始時間までである
ことを特徴とする請求項１記載の映像機器。
【請求項５】
上記番組情報は、番組情報提供サイトで取得した情報か、電子番組情報である
ことを特徴とする請求項１記載の映像機器。
【請求項６】
上記番組情報提供サイトは、インターネット回線に接続されたポータルサイトである
ことを特徴とする請求項１記載の映像機器。
【請求項７】
上記録画確認メッセージ情報は、録画予約を継続するか否かを示す確認情報である
ことを特徴とする請求項１記載の映像機器。
【請求項８】
映像機器本体の電源がスタンバイモードに設定されているときで、上記監視時間帯が到来したときには、上記電源を立ち上げてから上記予約番組情報取得手段において上記確認用番組情報を取得する処理が行われる
ことを特徴とする請求項１記載の映像機器。
【発明の詳細な説明】
【技術分野】
【０００１】
この発明は、録画予約機能を有する映像機器に関する。詳しくは、録画予約したときで、監視時間帯が到来したときは、録画予約したテレビ番組に関する番組情報をテレビ画面に表示して、録画予約したテレビ番組の事前確認を行った上で録画予約を実行できるようにしたものである。
【背景技術】
【０００２】
地上デジタル放送（地上波デジタルテレビ放送）を受信できる映像機器、例えば地上デジタル放送対応のテレビ受像機を用いて、テレビ番組の録画を予約するときは、地上デジタル放送波に重畳された電子番組情報（電子番組データ）ＥＰＧ（Electronics Program Guide）を利用するのが一般的であると考えられる。
【０００３】
このほかに、インターネット回線を利用して電子番組情報提供サイトにアクセスして、電子番組情報ｉＥＰＧ（internet EPG)を取得することで、録画予約を行うことも考えられる。もちろん、地上アナログ放送波を受信できる映像機器の場合には、Ｇガイドという電子番組情報を取得して録画予約することができる。
【０００４】
何れの場合にも、電子番組情報を利用することでテレビ番組を録画予約することができるが、確実に録画予約されているかどうかの確認は以外と難しい。そこで、録画予約時間に録画予約情報をテレビ画面に映し出すことで、実際に録画予約されているかどうかを視覚的に確認することができるようにした技術が開発されている（例えば、特許文献１）。
【０００５】
【特許文献１】特公昭６２−４７３９２
【発明の開示】
【発明が解決しようとする課題】
【０００６】
ところで、電子番組情報などを利用してテレビ番組の録画予約をセットするとき、うっかりして同じ予約時間帯ではあるが、別のチャンネルのテレビ番組の録画予約を行ってしまうミスが発生することがある。
【０００７】
このようなうっかりミスによる録画予約の間違いは、特許文献１に開示された技術でもその発見が難しい。それは、特許文献１に開示された技術では、録画予約時間が到来して実際にテレビ番組の録画が開始されてから、テレビ画面に録画予約情報が表示されるようになされているので、予約録画が開始された段階でしか予約内容の間違いを発見することができないからである。
【０００８】
録画が開始された段階で、予約ミスに気づいたとき、本来のテレビ番組に録画を切り替えても、既にそのテレビ番組はその放送が開始されているので、いわゆる頭の切れた録画となってしまう。
【０００９】
そこで、この発明はこのような従来の課題を解決したものであって、特に録画予約を事前に確認できるようにして、確実な録画予約を行えるようにした映像機器を提案するものである。
【課題を解決するための手段】
【００１０】
上述の課題を解決するため、請求項１に記載したこの発明に係る映像機器では  テレビ番組を録画する録画手段と、
上記テレビ番組に対する録画予約手段と、
録画予約された番組情報の中に含まれる予約時間を監視し、監視時間帯に入ったとき予約された内容を確認するための確認用として使用する番組情報を取得する予約番組情報取得手段と、
上記予約番組情報取得手段で取得した上記確認用番組情報の表示サイズを変換する表示サイズ変換手段と、
上記表示サイズ変換手段で生成された上記確認用番組情報に、録画確認メッセージ情報を重畳して画面表示するメッセージ情報生成手段とからなり、
上記メッセージ情報の選択に応じた確認情報に基づいて上記録画予約手段が制御されることを特徴とする。
【００１１】
この発明では、映像機器に事前予約確認機能を搭載する。映像機器としてはテレビ受像機そのものの他に、ＤＶＤレコーダとモニタを組み合わせて使用される映像機器も考えられる。
【００１２】
テレビ受像機に事前予約確認機能を搭載する場合には、録画予約時間の直前に、録画予約したテレビ番組に関連した番組情報（予約確認用として使用する番組情報であって、確認用番組情報という）を表示し、録画予約の最終確認を行う。そのため、録画予約を確認するために使用する確認用番組情報を取得する。この確認用番組情報の取得は種々の手法が考えられる。
【００１３】
第１には、デジタル映像機器向けのポータルサービスを高速インターネット回線を利用して確認用番組情報を取得する手法である。これは、映像機器に接続されたＬＡＮケーブルまたは無線ＬＡＮを使用して、ＡＤＳＬ回線、光ファイバ回線，ＣＡＴＶ回線などのブロードバンド回線（常時接続回線）からポータルサイトにアクセスして番組情報を取得する。この確認用番組情報は画像とテキストデータで構成される。
【００１４】
第２には、電子番組情報を取得する手法である。地上デジタル放送波からテレビ番組に関する電子番組情報のみをダウンロードして、必要な情報を確認用番組情報として表示する手法である。
【００１５】
第１の手法を採用する場合には、録画予約の監視時間帯になると、自動的にポータルサイトへのアクセス処理を行い、録画予約したテレビ番組に関連した確認用番組情報を取得する。取得した確認用番組情報をテレビ画面に、子画面表示できるように編集処理（縮小処理）を行う。
【００１６】
編集処理された確認用番組情報の画面に対して、さらに録画確認メッセージ情報を重畳して表示する。この録画確認メッセージとは、録画するか否かの確認を行うためのアナウンスである。録画する意志を確認して初めて録画予約が実行される。
【００１７】
録画予約の監視時間帯として、例えば録画開始時間から５分前までの時間帯に設定されているときは、録画開始５分前に確認用番組情報と共に、録画確認メッセージ情報が表示されるので、仮に予約ミスであると気づいたときは、録画予約すべきテレビ番組の放送開始時間までには、録画予約情報を再設定できる。そのため、頭の切れた予約録画を回避できる。
【００１８】
テレビ受像機がスタンバイモードに設定されているときは、録画予約時間に対する録画監視時間帯が到来したときに、テレビ受像機の主電源がオン状態に制御される。こうすることで、テレビ画面に録画予約チャンネルが表示されるので、録画予約に関する確認用番組情報を録画確認メッセージ情報と共にテレビ画面に表示できる。したがってスタンバイモードに設定されている場合でも録画予約の事前確認が可能である。
【発明の効果】
【００１９】
この発明では、録画予約時間の直前に、録画予約したテレビ番組に関連した番組情報を、確認用番組情報として録画確認メッセージ情報と共に表示し、録画予約の最終確認を行ってから予約された録画を実行するようにしたものである。
【００２０】
これによれば、実際に録画されるまでの間に、予約された内容を事前確認ができるので、録画予約ミスを回避できる特徴を有する。
【発明を実施するための最良の形態】
【００２１】
続いて、この発明に係る映像機器の好ましい実施例を図面を参照して詳細に説明する。
【実施例１】
【００２２】
実施例１として説明する例は、映像機器として、録画機能を内蔵した地上デジタル放送波を受信できるテレビ受像機に適用した場合である。
【００２３】
図１はこのテレビ受像機１０の一例を示す要部の系統図である。  
このテレビ受像機１０は、地上デジタル放送を受信するための映像処理手段を有する。映像処理手段は、チューナ１４と映像及び音声のデコーダ１６で構成され、アンテナ（図示はしない）で受信され、端子１２に供給された地上デジタル放送信号がチューナ１４で特定のチャンネルが選択（選局）される。
【００２４】
チューナ１４で選局された地上デジタル放送信号は、次段のデコーダ１６で、ＭＰＥＧ(Moving Picture Experts Group）方式で圧縮された地上デジタル放送信号（トランスポートストリーム信号）のデコード処理がなされて、映像信号と音声信号にデコードされる。
【００２５】
デコードされた映像信号は最終的には液晶表示素子などを使用したモニタ１８に供給されて映像が映し出される。音声信号も最終的にはスピーカ（図示はしない）に供給されて音声の再生が行われる。これらの映像・音声処理系は、バス２０によって相互に連結されている。
【００２６】
映像・音声処理系の制御を司るため、ＣＰＵからなる制御部２２が設けられると共に、映像・音声処理や画面表示処理を行う各種処理プログラムを内蔵したメモリ手段（この例ではＲＯＭ）２４や、ワーキングメモリなどとして機能するメモリ手段（この例ではＲＡＭ）２６がバス２０を介して相互に接続されている。  このテレビ受像機１０には、操作系インタフェース２８が設けられ、選局操作などが行われると共に、受光素子３０が接続され、受光素子３０で受光したリモートコントロール信号によってチャンネル選局や、以下に述べる録画の制御などの各種の処理がリモートコントロールされる。
【００２７】
さらに、録画手段３２が設けられる。
録画手段３２は、この例では内蔵タイプであってハードディスクＨＤなどのような比較的容量の大きな録画手段が使用される。録画手段３２は、録画処理、録画予約処理等が制御部２２の介在の下で実行される。そのため、制御部２２は録画予約手段としても機能する。録画予約するときに必要な番組情報は、地上デジタル放送信号中に重畳された電子番組情報（電子番組ガイド，ＥＰＧ（Electronic Program Guide））を利用したり、インターネット回線に接続された番組情報等の提供サイトから取得した電子番組情報（internetＥＰＧ（ｉＥＰＧ））、さらには、Ｇガイドで取得した電子番組情報などを利用できる。
【００２８】
電子番組情報を利用して予約された録画予約情報は一方のメモリ手段２６にストアされる。したがって録画予約情報には、録画チャンネルと録画予約時間のように、必要最小限の情報がストアされる。
【００２９】
この発明では、さらに予約したテレビ番組の番組情報を取得する予約番組情報取得手段が設けられる。この番組情報は録画予約を確認するための確認情報として利用される。この予約番組情報手段では、録画予約された番組情報の中に含まれる予約時間を監視し、監視時間帯となったとき、予約されたテレビ番組に関する番組情報（確認番組情報）を取得する。この取得処理も制御部２２の介在の下で実行されるものであるから、制御部２２は予約番組情報取得手段としても機能する。
【００３０】
予約されたテレビ番組に関する番組情報は、あくまで予約内容を確認するために用いられる情報であるから簡単な情報でよい。この例では、予約したテレビ番組のタイトル、予約設定時間、予約チャンネルの情報が確認番組情報として利用される。さらに、この例では直感的な予約確認を実現するために、その予約テレビ番組に関するサンプル画像が利用される。サンプル画像とは、そのテレビ番組の出演者やタイトル画像などが考えられる。
【００３１】
したがって確認番組情報としては、上述したようにタイトルなどのテキスト情報と、サンプル画像からなる番組情報であるのが好ましい。
【００３２】
そのため、この実施例では、高速インターネット回線に接続された番組情報提供サイトより確認番組情報を取得する。したがって、この予約番組情報取得手段として、この例ではＬＡＮ端子４０に接続されたイーサネット（登録商標）用インタフェース４２が使用され、さらにこのイーサネット（登録商標）用インタフェース４２で取得した確認番組情報の表示サイズを変換する表示サイズ変換手段として、ダウンコンバータ４４が設けられ、これらがバス２０を介して相互に接続される。
【００３３】
ＬＡＮ端子４０には、上述した高速インターネット回線が接続される。高速インターネット回線としては、ＡＤＳＬ回線、光ファイバー回線、ＣＡＴＶ回線などが考えられる。無線ＬＡＮを使用して高速インターネット回線に接続する場合には、ＬＡＮ端子４０は受発光部として使用される。
【００３４】
ダウンコンバータ４４は、取得した確認番組情報を子画面表示する縮小処理を行うためのデータ処理手段であって、この例では、図２に示すように親画面Ｓａに対し、その表示サイズを１／４程度に縮小した画面Ｓｂ用に変換される。表示サイズは図２のように４：３程度のサイズであるが、縦長サイズや横長サイズなども考えられる。
【００３５】
また、この例では、確認用子画面Ｓｂにさらに録画確認メッセージ情報を表示するためのメッセージ情報生成手段として、ＯＳＤ（On Screen （character） Display）表示手段４６が設けられる。
【００３６】
録画メッセージ情報は、録画予約の最終確認を行うために用いられる情報であるから、この例では図２に示すように録画メッセージ情報は、
「録画」，「する」，「しない」
の文字情報からなる。
【００３７】
このような文字情報が、子画面Ｓａ内に重畳して表示される。そして、ユーザが「する」とクリックすれば、制御部２２では、設定された予約番組情報通り、予約時間から予約されたテレビ番組の録画が開始される。
【００３８】
これに対して、「しない」をクリックすると、制御部２２では、予約番組情報の全てをキャンセルする処理が実行される。したがって、予約録画はなされない。このように、録画メッセージ情報に基づいて録画予約の最終確認を行うことによって、録画ミスを確実に防止できる。
【００３９】
なお、この子画面Ｓｂの表示は、予約時間に対する監視時間帯が到来したときである。監視時間帯として、この例では予約時間から５分前までに設定されている。このような監視時間帯を設けることで、録画予約ミスに気付いたときは、録画予約の再設定を行うことができる。そしてこのような再設定処理を行っても、目的のテレビ番組を最初から録画することができる。したがって、５分程度の時間を再設定処理に要する時間帯として設定しておけば、たとえ録画予約ミスがあったとしても、目的のテレビ番組を最初から録画できることになる。
【００４０】
上述のような番組情報などを提供するサイトとしては、いわゆる「アクトビラ」がある。このような番組情報を高速インターネット回線に接続されたサイトから入手する場合の他に、以下のような入手形態も考えられる。
【００４１】
（１）ＥＰＧを利用する
地上デジタル放送信号中より予約チャンネルの予約時間帯における電子番組情報を取得し、この電子番組情報より必要な情報（テキスト情報）のみを抽出して表示する。必要な情報としは、チャンネル、放送開始時間、番組タイトルなどの各情報である。
【００４２】
（２）ｉＥＰＧを利用する。
インターネット回線を利用して関連サイトから電子番組情報（ｉＥＰＧ）を取得し必要な情報のみを抽出して表示する。
【００４３】
（３）Ｇガイドを利用する。
場合によっては、地上アナログ信号から該当する電子番組情報（Ｇガイド）を取得して必要な情報のみを抽出して表示する。
【００４４】
これらの電子番組情報を利用する場合には、テキスト情報のみの表示となり、タイトル画像などのサンプル画像は表示できない。
【００４５】
続いて、この発明に係わるテレビ受像機１０における録画予約に関する情報表示例について図３を参照して説明する。この情報表示を行う前提として、確認番組情報を取得できるように、高速インターネット回線に自動接続し、特定の関連サイトにアクセスして確認用番組情報を取得できるような処理プログラムが自動的に起動されるものとする。
【００４６】
図３に示すように、録画予約に関する情報表示用処理プログラムが起動されると、まず、録画時間の監視が行われる（ステップ６１）。そして監視時間帯（録画予約時間から５分前までの時間帯）の到来が確認されると（ステップ６２）、テレビ受像機１０のオン状態がチェックされる（ステップ６３）。つまり、モニタ４６に映像が映し出されているかどうかが確認される。
【００４７】
モニタ４６に映像が映し出されているときには、インターネット回線への接続処理が行われる（ステップ６４）。インターネット回線への接続が完了し、特定の関連サイト（例えば「アクトビラ」のサイト）へのアクセスが終了すると、この関連サイトで提供されている情報のうち予約されているテレビ番組に関する確認用番組情報を取得する（ステップ６５）。
【００４８】
続いて、取得した確認用番組情報（サンプル画像＋テキスト画像）に対して表示サイズの変換処理（縮小処理）を施す（ステップ６６）。その後、編集された確認用番組情報を表示すると共に、録画確認メッセージ情報をこの表示画面に重畳して表示する。（ステップ６７）。
【００４９】
そして、録画を「する」の方にチェックされたことが確認されたときには（ステップ６８）、録画予約をそのまま有効情報として取り扱う（ステップ６９）。しかし、録画を「しない」の方にチェックされたときには、録画予約を中止（キャンセル）して、録画予約内容を全て消去する（ステップ７０）。
【００５０】
なお、ステップ６８において所定時間（録画開始時間）に至っても、録画を「する」「しない」の操作が行われない場合には、ステップ６９に遷移して録画処理を実行するようにしてもよい。
【００５１】
一方、ステップ６３で、テレビ受像機１０がオン状態になっていないことが確認されたときには、スタンバイモードがセットされているかどうかをチェックする（ステップ７１）。
【００５２】
録画予約等のためのスタンバイモードがセットされているときには、主電源をオンにして（ステップ７２）、ステップ６４に遷移する。こうすることで、スタンバイモードであっても、監視時間帯になるとモニタ４６にテレビ映像が表示されると共に、確認用番組情報が表示される。
【００５３】
これに対し、スタンバイモードがセットされていないときは、録画予約時間の到来を待って、録画手段をそのまま実行する（ステップ７３，７４）。外出時のようなときは確認用番組情報の表示処理および録画予約の最終確認を行う必要はないからである。
【００５４】
上述した実施例は、この発明に係る映像機器として、地上デジタル放送波を受信できるテレビ受像機に適用した場合を説明した。この発明はこのテレビ受像機に限定されるわけではない。
【００５５】
例えばモニタとＤＶＤレコーダを組み合わせた映像機器であっても、この発明を適用できる。ＤＶＤレコーダに液晶表示素子などのモニタやテレビ受像機を接続して、ＤＶＤレコーダで録画したテレビ番組などをモニタやテレビ受像機を使用して楽しむことができ、ＤＶＤレコーダでテレビ番組を予約したとき、監視時間帯になったときには、録画予約に係る番組情報をモニタやテレビ受像機に表示することで、録画予約の最終確認を行えるからである。したがってこの実施の形態の場合では、テレビ受像機は単なるモニタとして使用されることになる。
【産業上の利用可能性】
【００５６】
この発明では、地上デジタル放送波を受信できるテレビ受像機などに適用できる。
【図面の簡単な説明】
【００５７】
【図１】この発明に係る映像機器をテレビ受像機に適用した場合の一例を示す要部のである。
【図２】画面表示例を示す図である。
【図３】この発明に係る録画予約情報の確認処理例を示すフローチャートである。
【符号の説明】
【００５８】
１０・・・テレビ受像機、１４・・・チューナ、１６・・・デコーダ、１８・・・モニタ、２２・・・制御部（ＣＰＵ）、２４，２６・・・メモリ手段、２８・・・操作用インタフェース、３２・・・録画手段（ＨＤ）、４２・・・イーサネット（登録商標）用インタフェース、４４・・・ダウンコンバータ、Ｓａ・・・親画面、Ｓｂ・・・子画面
【図１】
2009005305.tif 000003
【図２】
2009005305.tif 000004
【図３】
2009005305.tif 000005